(57)【要約】【課題】  密閉型のヘッドホンとしての機能を確保する一方で、ヘッドホン外音声を聞き逃さずに確実にユーザ−が聴取することを可能とし、また、ユーザ−がヘッドホン外音声の聴取することをそのときは忘れても後で確実に聴取することができるようにする。【解決手段】  ヘッドホン外音声の音量レベルを検出する音量レベル検出部１４０と、上記音量レベル検出部が検出した音量レベルがユーザー設定による録音音量レベルを超えたときにヘッドホン外音声を録音する録音部１７０と、上記録音部によるヘッドホン外音声の録音に関する情報をユーザ−に通知する通知部と、上記録音部により録音されたヘッドホン外音声を再生する再生部１８０とを具備した構成。【選択図】  図１
2007104456.tif 000002
【特許請求の範囲】
【請求項１】
ヘッドホン外音声の音量レベルを検出する音量レベル検出部と、
上記音量レベル検出部が検出した音量レベルがユーザー設定による録音音量レベルを超えたときにヘッドホン外音声を録音する録音部と、
上記録音部によるヘッドホン外音声の録音に関する情報をユーザ−に通知する通知部と、
上記録音部により録音されたヘッドホン外音声を再生する再生部と、
を具備したことを特徴とするヘッドホン。
【請求項２】
上記録音部が録音したヘッドホン外音声を保存する記憶部と、
上記記憶部にヘッドホン外音声を保存制御しかつ該記憶部に保存しているヘッドホン外音声を上記再生部に入力制御する制御部と、
を備えたことを特徴とする請求項１に記載のヘッドホン。
【請求項３】
上記制御部は、音声機器からの出力音声と上記記憶部からのヘッドホン外音声とを再生部に入力させ該再生部でミキシングさせたうえで出力制御する、ことを特徴とする請求項２に記載のヘッドホン。
【請求項４】
上記録音音量レベルの設定のためにユーザ−により操作される操作部を具備し、上記制御部は、上記操作部により設定された録音音量レベルを上記記憶部に書き込む制御を行う制御を行う一方で、上記音量レベル検出部は、上記記憶部に保存されている録音音量レベルをその検出に用いる、ことを特徴とする請求項１ないし３のうちのいずれかに記載のヘッドホン。
【請求項５】
ヘッドホン外音声を常時録音する録音部と、
ヘッドホン外音声の音量レベルを検出する音量レベル検出部と、
上記音量レベル検出部によりヘッドホン外音声の音量レベルがユーザ−設定による録音音量レベルを超えたとする検出が行われたときに、上記録音部でのヘッドホン外音声の録音に関する情報をユーザ−に通知する通知部と、
録音部により常時録音されたヘッドホン外音声を保存する記憶部と、
上記録音部からのヘッドホン外音声を記憶部に常時保存制御するとともに音量レベル検出部が検出した音量レベルが上記録音音量レベルを超えた以降も録音部からのヘッドホン外音声を継続して保存制御する制御部と、
を具備したことを特徴とするヘッドホン。
【請求項６】
ヘッドホン外音声を録音中にユーザ操作により録音内容の追っかけ再生を指示する指示部を具備したことを特徴とする請求項１ないし５のうちのいずれかに記載のヘッドホン。
【発明の詳細な説明】
【技術分野】
【０００１】
本発明は、頭部に装着して音声等を聴取する密閉型のヘッドホンにかかり、特には、ヘッドホン外音声を聞き逃さずに聴取することができるようにしたヘッドホンの改良に関するものである。
【背景技術】
【０００２】
密閉型のヘッドホンの場合、プレーヤやテレビ等の音声機器からの音声（ヘッドホン内音声）を聴取しているときは、その優れた遮音性能により、ヘッドホン外部からの音声（ヘッドホン外音声）が聞こえにくいか、全く聞こえず、例えば、緊急放送や電話の着信音等のヘッドホン外音声を聞き逃してしまいやすい。
【０００３】
そこで、ヘッドホン外音声をヘッドホン内音声にミキシングしてヘッドホン外音声が常時聞くことができるようにする技術がある。しかしながら、ヘッドホン外音声を常にヘッドホン内音声にミキシングするだけではヘッドホン外音声を常時拾ってしまい、密閉型ヘッドホンとしての意味がなくなる。
【０００４】
また、ヘッドホン外音声の音量レベルが設定値を上回ったときにはヘッドホン内音声を減衰ないしは遮断してヘッドホン外音声が聞こえるようにする技術がある。しかしながら、ヘッドホン外音声を聞くことができるようになっても、現在聴取中のヘッドホン内音声にユーザーの精神状態が集中している場合では、ヘッドホン外音声を聞き逃し易く、いったん、聞き逃してしまうと、再度、ヘッドホン外音声を聴取することはできず、上記と同様の課題がある。
【特許文献１】特開昭６３−２９９５９９
【発明の開示】
【発明が解決しようとする課題】
【０００５】
本発明により解決すべき課題は、密閉型のヘッドホンとしての機能を確保する一方で、ヘッドホン外音声を聞き逃さずに確実にユーザ−が聴取することを可能とし、また、ユーザ−がヘッドホン外音声の聴取することをそのときは忘れても後で確実に聴取することができるようにすることである。
【課題を解決するための手段】
【０００６】
（１）本発明第１に係るヘッドホンは、ヘッドホン外音声の音量レベルを検出する音量レベル検出部と、上記音量レベル検出部が検出した音量レベルがユーザー設定による録音音量レベルを超えたときにヘッドホン外音声を録音する録音部と、上記録音部によるヘッドホン外音声の録音に関する情報をユーザ−に通知する通知部と、上記録音部により録音されたヘッドホン外音声を再生する再生部とを具備したことを特徴とするものである。
【０００７】
本発明第１によると、ヘッドホンが密閉型でかつヘッドホン内音声を聴取していても、上記通知部により検出すべきヘッドホン外音声の録音が通知され、かつ、再生部によりヘッドホン外音声を再生することができるので、その優れた遮音性能により、ヘッドホン装着状態のためユーザーがヘッドホン外音声がたとえ全く聞こえなくても、確実に緊急放送や電話の着信音等のヘッドホン外音声を聞き逃すようなことをなくすことができる。また、本発明では、ヘッドホン内音声聴取中にヘッドホン外音声が常時聞こえるようなことがないので、密閉型ヘッドホンとしての特徴を損なうことがない。さらに、本発明では、ヘッドホン内音声の聴取にユーザーの精神状態が集中していて、たとえ、通知部の通知に気付かなくても、後でヘッドホン外音声を聞くことができるので、従来の課題がない。
【０００８】
本発明第１の好適な一態様は、上記録音部が録音したヘッドホン外音声を保存する記憶部と、  上記記憶部にヘッドホン外音声を保存制御しかつ該記憶部に保存しているヘッドホン外音声を上記再生部に入力制御する制御部とを備えることである。
【０００９】
この態様では、ヘッドホン外音声が制御部の制御により記憶部に保存されるので、上記録音部でヘッドホン外音声が上書きされても、記憶部に保存されているヘッドホン外音声を再生部で再生して聴取することができる。
【００１０】
本発明第１の好適な一態様は、上記制御部は、音声機器からの出力音声と上記記憶部からのヘッドホン外音声とを再生部に入力させ該再生部でミキシングさせたうえで出力制御することである。
【００１１】
この態様では、ヘッドホン内音声の聴取にユーザーの精神状態が集中していても、制御部の制御によりヘッドホン外音声が再生部においてヘッドホン内音声にミキシングされるので、ヘッドホン外音声の聞き逃がしを確実に防止することができる。
【００１２】
本発明第１の好適な一態様は、上記録音音量レベルの設定のためにユーザ−により操作される操作部を具備し、上記制御部は、上記操作部により設定された録音音量レベルを上記記憶部に書き込む制御を行う制御を行う一方で、上記音量レベル検出部は、上記記憶部に保存されている録音音量レベルをその検出に用いることである。
【００１３】
この態様では、ユーザ−は録音音量レベルを任意に設定することができるので、ユーザ−の状態に応じてヘッドホン外音声の聞き逃がしを防止することができて使い勝手がよく、また、制御部により記憶部に録音音量レベルを書き込んで保存することができので、一旦、設定した録音音量レベルをヘッドホンの使用毎に改めて設定をしなおす必要がなくなり、使い勝手が格段と向上する。
【００１４】
（２）本発明第２に係るヘッドホンは、ヘッドホン外音声を常時録音する録音部と、ヘッドホン外音声の音量レベルを検出する音量レベル検出部と、上記音量レベル検出部によりヘッドホン外音声の音量レベルがユーザ−設定による録音音量レベルを超えたとする検出が行われたときに、上記録音部でのヘッドホン外音声の録音に関する情報をユーザ−に通知する通知部と、録音部により常時録音されたヘッドホン外音声を保存する記憶部と、上記録音部からのヘッドホン外音声を記憶部に常時保存制御するとともに音量レベル検出部が検出した音量レベルが上記録音音量レベルを超えた以降も録音部からのヘッドホン外音声を継続して保存制御する制御部と、を具備したことを特徴とするものである。
【００１５】
本発明第２においては、ヘッドホン外音声を常時録音しているので、ユーザ−が録音部でのヘッドホン外音声の録音に関する情報を通知されたとき、記憶部に保存されているヘッドホン外音声を当初から聞くことが可能となる。
【００１６】
本発明第１、第２の好適な一態様は、ヘッドホン外音声を録音中にユーザ操作により録音内容の追っかけ再生を指示する指示部を具備したことである。
【００１７】
この態様では、ヘッドホン外音声を即座に聴取することが可能となり、緊急を要する場合のヘッドホン外音声を聞き逃がすことがなくなる。
【発明の効果】
【００１８】
本発明によれば、ヘッドホン使用中に発生したヘッドホン外音声を聞き逃すことがなくなる。
【発明を実施するための最良の形態】
【００１９】
以下、添付した図面を参照して本発明の実施の形態に係るヘッドホンを詳細に説明する。
【００２０】
（実施の形態１）
図１に実施の形態１に係るヘッドホン１００と音声機器２００とを示す。
【００２１】
ヘッドホン１００は、ヘッドホン１００全体の制御を行う制御部１１０と、ユーザにより操作されて制御部１１０に操作入力を入力する操作部１２０と、ユーザによって予め設定されたヘッドホン外音声の録音音量レベル１３１、ヘッドホン外音声の録音済みデータ１３２、ヘッドホン外音声の常時録音データ１３３を内部に保存している記憶部１３０と、ヘッドホン外音声の音量レベルを検出する音量レベル検出部１４０と、ヘッドホン外音声の音量レベルの検出結果に応じてヘッドホン外音声の録音の判断やその録音の停止の判断とを行う録音判断部１５０と、ＬＥＤまたは振動などでユーザにヘッドホン外音声の録音開始を通知する通知部１６０と、ヘッドホン外音声を録音する録音部１７０と、記憶部１３０に記憶されているヘッドホン外音声や音声機器２００から出力されるヘッドホン内音声を再生する再生部１８０とを備える。なお、制御部１１０や録音判断部１５０をＣＰＵにより構成することができる。また、音量レベル検出部１４０や録音部１７０や再生部１８０は、公知の音声技術で構成することができるのでその詳細は略する。なお、ヘッドホン外音声は音波の形態と信号のと形態とがあり、ヘッドホン内音声は信号の形態であるが、説明の都合でヘッドホン外音声とヘッドホン内音声との音波と信号との区別をしていない。
【００２２】
以上の構成を備えたヘッドホン１００においては、通常は普通のヘッドホンとして、例えばポータブルオーディオプレイヤーやテレビなどの音声機器２００からのヘッドホン内音声（信号の形態）を再生部１８０により聴取することができる。
【００２３】
以下、実施の形態のヘッドホン１００の制御ステップを説明する。
【００２４】
（１）ヘッドホン外音声の録音再生処理
図２を参照してヘッドホン外音声の録音と再生の処理を説明する。
【００２５】
ステップ３００において、制御部１１０は、ユーザによる操作部１２０のヘッドホン外音声の録音再生操作に応答して音量レベル検出部１４０を動作状態に制御する。この制御により音量レベル検出部１４０はヘッドホン外音声の音量レベルを検出する。音量レベル検出部１４０はヘッドホン外音声の音量レベルを一定周期内で平均値演算し、その演算結果を録音判断部１５０に通知する。
【００２６】
ステップ３１０において、録音判断部１５０は音量レベル検出部１４０が検出した音量レベルと記憶部１３０が保存している録音音量レベル１３１とを比較し、検出音量レベルが録音音量レベル１３１を上回った場合、録音部１７０および通知部１６０へ録音開始を通知する。この録音音量レベル１３１は、ユーザによる操作部１２０の録音音量レベル設定操作に応答して制御部１１０により記憶部１３０に書き込まれたものである。
【００２７】
ステップ３２０において、録音部１７０は、録音判断部１５０から録音開始の通知を受け取ると、ヘッドホン外音声の録音を開始する。
【００２８】
ステップ３３０において、通知部１６０はユーザにヘッドホン外音声の録音開始を通知する。
【００２９】
ステップ３４０において、録音判断部１５０は録音部１７０によるヘッドホン外音声の録音中にヘッドホン外音声の音量レベルと録音音量レベル１３１との比較を行い、録音停止と判断した場合は、録音部１７０および通知部１６０へ録音停止を通知する。
【００３０】
ステップ３５０において、録音部１７０はヘッドホン外音声の録音を停止する。
【００３１】
ステップ３６０において、通知部１６０は、ヘッドホン外音声の録音停止をユーザに通知する。
【００３２】
ステップ３７０において、再生部１８０はユーザによる操作部１２０の操作によって、記憶部１３０に録音済みデータ１３２、常時録音データ１３３をそのまま、又はヘッドホン内音声にミキシングして再生部１８０から出力する。
【００３３】
以上によってヘッドホン使用中に発生したヘッドホン外音声の音量レベルと録音音量レベル１３１との比較に基づいて、自動的にヘッドホン外音声を録音することができるから、ユーザ−はヘッドホン外音声を後から聞くことができる。
【００３４】
（２）ヘッドホン外音声の常時録音、再生処理
図３を参照してヘッドホン外音声の常時録音再生処理を説明する。ユーザは操作部１２０を操作してヘッドホン外音声を常時録音再生する設定を行うことができる。ユーザによりヘッドホン外音声の常時録音再生が設定されるとステップ３８０では録音部１７０で常に数秒分の録音を行うとともに、この録音データを記憶部１３０に常時録音データ１３３として書き込むとともに、ユーザにより図２で説明したステップ３００と同様のステップ３００、３１０を実行する。
【００３５】
そして、ステップ３１０によって録音開始の通知を受けた後、ステップ３９０によって、ステップ３８０で既に録音したデータに引き続いてヘッドホン外音声の録音を行う。ステップ３９０以降のステップ３３０以降は、上記（１）と同様のステップであるので、その説明は省略する。
【００３６】
以上によって、外部音の音量レベルの検知直前からヘッドホン外音声を録音することが可能となり、ヘッドホン外音声の検知直後も含めてヘッドホン外音声を最初から聞くことができる。
【００３７】
（３）録音データ再生処理
上記（１）（２）に加えて、図４に示すようにヘッドホン外音声の録音中に再生指示の有無を検出するステップ４００において、その再生指示があるときはＹＥＳと判断してステップ４１０で追っかけ再生を行い、その再生指示がないときはＮＯと判断してステップ３７０でヘッドホン外音声の再生を行う。
【００３８】
すなわち、ステップ４００からステップ４１０に移行するときは、ヘッドホン外音声を録音するステップ３２０またはヘッドホン外音声を継続して録音するステップ３９０の実行中にユーザによる操作部１２０の操作によって録音内容の再生が指示されたと判断し、録音部１７０はヘッドホン外音声の録音を引き続き行いながら、再生部１８０は録音を完了した最初の部分から再生を行う。
【００３９】
以上によって、ヘッドホン外音声の音量レベルの検知直前からヘッドホン外音声を録音することが可能となり、ヘッドホン外音声の検知直後も含めたヘッドホン外音声をその録音が完了する前から素早く聞くことができる。
【産業上の利用可能性】
【００４０】
今後、半導体メモリオーディオプレイヤーやハードディスクオーディオプレイヤー等の市場がさらに拡大するに伴い、ヘッドホンを使用する機会が増えることが予想される。外部音が聞こえないことによる危険を防止する意味からも、本発明の利用価値は高いと考えられる。
【図面の簡単な説明】
【００４１】
【図１】図１はヘッドホンの回路構成を示す図である。
【図２】図２は外部音録音再生処理の説明のためのフローチャートである。
【図３】図３は外部音常時録音再生処理の説明のためのフローチャートである。
【図４】図４は録音データ再生処理の説明のためのフローチャートである。
【符号の説明】
【００４２】
１００  ヘッドホン
１１０  制御部
１２０  操作部
１３０  記憶部
１４０  音量レベル検出部
１５０  録音判断部
１６０  通知部
１７０  録音部
１８０  再生部
【図１】
2007104456.tif 000003
【図２】
2007104456.tif 000004
【図３】
2007104456.tif 000005
【図４】
2007104456.tif 000006